【手続補正書】
【提出日】平成28年8月22日(2016.8.22)
【手続補正１】
【補正対象書類名】特許請求の範囲
【補正対象項目名】請求項１
【補正方法】変更
【補正の内容】
【請求項１】
縦方向及びそれに直交する横方向を有し、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合された使い捨てのパンツ型着用物品において、
前記第１ウエスト域の側縁部の近傍において変形抑制手段が取り付けられており、
前記第１及び第２ウエスト域のうちの少なくとも前記第１ウエスト域は前記横方向において弾性を有する弾性域を含み、
前記変形抑制手段は前記第１ウエスト域に固定されたシート部材から構成されており、前記第１ウエスト域の弾性域が収縮することによって前記第１ウエスト域から外方へ凸曲する少なくとも１つの凸曲状部を有し、前記第１ウエスト域と前記凸曲状部との間には前記縦方向へ延びるスペースが形成されることを特徴とする着用物品。
【手続補正２】
【補正対象書類名】特許請求の範囲
【補正対象項目名】請求項４
【補正方法】変更
【補正の内容】
【請求項４】
前記変形抑制手段を構成するシート部材が、前記近位部を形成する内層シートと、前記遠位部を形成する外層シートとから構成される請求項２に記載の着用物品。
【手続補正３】
【補正対象書類名】特許請求の範囲
【補正対象項目名】請求項８
【補正方法】変更
【補正の内容】
【請求項８】
前記掛止め域は、メカニカルファスナのフック要素を有するフックシートから形成されており、前記繊維不織布シートの折り畳まれた状態における、前記掛止め域の存在領域を除く部分の前記変形抑制手段の両側縁どうしが互いに近づく方向のＫＥＳ曲げ剛性値は０．０４〜０．４４ｇｆ・ｃｍ２／ｃｍ、前記掛止め域の存在領域における前記変形抑制手段の両側縁どうしが互いに近づく方向のＫＥＳ曲げ剛性値は０．５６〜１．８ｇｆ・ｃｍ２／ｃｍである請求項６に記載の着用物品。
【手続補正４】
【補正対象書類名】特許請求の範囲
【補正対象項目名】請求項９
【補正方法】変更
【補正の内容】
【請求項９】
前記遠位部のうちの前記近位部と前記掛止め域との間には、前記近位部よりも剛性の高い高剛性域が形成される請求項７又は８に記載の着用物品。
【手続補正５】
【補正対象書類名】特許請求の範囲
【補正対象項目名】請求項１０
【補正方法】変更
【補正の内容】
【請求項１０】
前記遠位部は、折曲された状態で前記横方向において離間する第１及び第２仮止め部を介して前記近位部に仮り止めされており、前記近位部と対向して位置する第１遠位部と、前記第１遠位部の外面側に位置し、かつ、その内面に前記第２ウエスト域の外面に剥離可能に掛止めするための掛止め域を有する第２遠位部とを有し、前記第１遠位部の前記近位部と対向する面には、両端が前記第１及び第２仮止め部と重なる固定部を介して前記近位部に固定されたシート片が配置される請求項２に記載の着用物品。
【手続補正６】
【補正対象書類名】明細書
【補正対象項目名】０００１
【補正方法】変更
【補正の内容】
【０００１】
本開示は、使い捨てのパンツ型着用物品に関し、より詳しくは、ウエスト域の変形抑制手段を有する使い捨てのパンツ型おむつに関する。
【手続補正７】
【補正対象書類名】明細書
【補正対象項目名】００１０
【補正方法】変更
【補正の内容】
【００１０】
図面は、本発明の特定の実施の形態を示し、発明の不可欠な構成ばかりでなく、選択的及び好ましい実施の形態を含む。
【図１】本発明の第１実施形態における使い捨てのパンツ型着用物品の一例として示す、背面側から見た使い捨ておむつの斜視図。
【図２】おむつのシ―ム部を剥離して前後方向に伸展した状態をその内面から見た一部破断展開平面図。
【図３】おむつの分解斜視図。
【図４】図２のＩＶ−ＩＶ線に沿う模式的断面図。
【図５】使用状態におけるおむつを側面から視た図。
【図６】図１のＶＩ−ＶＩ線に沿う断面図。
【図７】第２実施形態における図６と同様の図。
【図８】第３実施形態における図６と同様の図。
【図９】第４実施形態における図６と同様の図。
【図１０】第４実施形態における変形抑制手段を展開して、前ウエスト域に掛け止めした状態を示す、おむつを正面から視た斜視図。
【図１１】図１０のＸＩ―ＸＩ線に沿う模式的断面図。
【図１２】第４実施形態における変形抑制手段を使用しておむつを丸めた状態を示す図。
【図１３】第５実施形態における図６と同様の図。
【図１４】第５実施形態における図１１と同様の図。
【図１５】第６実施形態における図６と同様の図。
【図１６】第６実施形態における変形抑制手段を展開して、前ウエスト域に掛け止めした状態を示す、おむつを側面から視た図。
【図１７】第６実施形態における図１６のＸＶＩＩ−ＸＶＩＩ線に沿う断面図。
【手続補正８】
【補正対象書類名】明細書
【補正対象項目名】００２５
【補正方法】変更
【補正の内容】
【００２５】
図２を参照すると、後ウエスト域１４は、後ウエスト弾性体３５によって少なくとも横方向Ｘへの弾性を付与されたウエスト開口弾性域４７及び後上方弾性域５１と、後弾性シート４９及び弾性体５０とによって少なくとも横方向Ｘへの弾性を付与された後下方弾性域５２とを有する。各弾性域４７，５１，５２は、後両側縁１４ｃ，１４ｄ間において、後ウエスト域１４の縦方向Ｙの寸法Ｌ１を３等分した大きさを有する。
【手続補正９】
【補正対象書類名】明細書
【補正対象項目名】００４１
【補正方法】変更
【補正の内容】
【００４１】
図１０及び１１を参照すると、第１及び第２仮止め部８４，８５の止着を解除して変形抑制手段２０を展開し、展開した変形抑制手段２０を第２遠位部８２の掛止め域８８を介して前ウエスト域１３の外面に掛止することができる。変形抑制手段２０のベースシート８０は繊維不織布製である場合には、それが比較的に剛性の高いプラスチックシートから形成される場合に比して柔軟であって、湾曲した前ウエスト域１３の外面に沿って延びることができ、おむつ１０の横方向Ｘ（胴周り方向）における収縮を阻害することはなく、かつ、たくれ防止となる変形抑止手段としての形態をなすこともできる。前記のとおり、近位部２１が後ウエスト域１４の収縮に合せて変形し易く、遠位部２２全体にはそれを後ウエスト域１４側に引っ張ろうとする力が作用する。したがって、前ウエスト域１３の外面に掛止めされた遠位部２２が後方へ引っ張られて、おむつ１０の両側部１８が近位部２１と遠位部２２との間で引き寄せられるので、前後ウエスト域１３，１４を着用者の身体にフィットさせることができ、サイズ調整が容易である。このように、変形抑制手段２０はそれを展開しない状態において、後ウエスト域１４におけるたくれ落ちを防止することができる一方、それを展開して掛止め域８８を前ウエスト域１３の外面に掛止めすることによって、ウエスト回りの寸法と小さくしてサイズ調整することができ、これらのいずれかの使用態様を二者択一的に選択することができる。
【手続補正１０】
【補正対象書類名】明細書
【補正対象項目名】００５４
【補正方法】変更
【補正の内容】
【００５４】
以上に記載した本発明に関する開示は、少なくとも下記事項に整理することができる。
縦方向及びそれに直交する横方向を有し、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合された使い捨てのパンツ型着用物品において、前記第１ウエスト域の側縁部の近傍において変形抑制手段が取り付けられており、前記第１及び第２ウエスト域のうちの少なくとも前記第１ウエスト域は前記横方向において弾性を有する弾性域を含み、
前記変形抑制手段は前記第１ウエスト域に固定されたシート部材から構成されており、前記第１ウエスト域の弾性域が収縮することによって前記第１ウエスト域から外方へ凸曲する少なくとも１つの凸曲状部を有し、前記第１ウエスト域と前記凸曲状部との間には前記縦方向へ延びるスペースが形成される。
【手続補正１１】
【補正対象書類名】明細書
【補正対象項目名】００５５
【補正方法】変更
【補正の内容】
【００５５】
上記段落００５４に開示した本発明は、少なくとも下記の実施の形態を含むことができる。該実施の形態は、分離して又は互いに組み合わせて採択することができる。
（１）前記変形抑制手段は、前記第１ウエスト域に固定された近位部と、前記近位部に分離可能又は分離不能に固定された遠位部とを有し、前記近位部が前記第１ウエスト域とともに収縮することによって、前記遠位部に前記凸曲状部が形成される。
（２）前記近位部と前記遠位部とが前記横方向において互いに離間する複数の固定部を介して固定されており、前記固定部間に位置する前記遠位部に前記凸曲状部が形成される。
（３）前記変形抑制手段を構成するシート部材が、前記近位部を形成する内層シートと、前記遠位部を形成する外層シートとから構成される。
（４）前記外層シートの剛性が前記内層シートの剛性よりも高い。
（５）前記変形抑制手段が繊維不織布シートから形成される。
（６）前記変形抑制手段において、前記遠位部は、前記第２ウエスト域の外面に剥離可能に掛止めするための掛止め域を有し、折曲された状態で仮止め部を介して前記近位部に仮り止めされており、前記仮止め部は、前記横方向において離間する第１及び第２仮止め部を有し、前記掛止め域は、前記第１及び第２仮止め部間における前記遠位部の内面に位置する。
（７）前記掛止め域は、メカニカルファスナのフック要素を有するフックシートから形成されており、前記繊維不織布シートの折り畳まれた状態における、前記掛止め域の存在領域を除く部分の前記変形抑制手段の両側縁どうしが互いに近づく方向のＫＥＳ曲げ剛性値は０．０４〜０．４４ｇｆ・ｃｍ２／ｃｍ、前記掛止め域の存在領域における前記変形抑制手段の両側縁どうしが互いに近づく方向のＫＥＳ曲げ剛性値は０．５６〜１．８ｇｆ・ｃｍ２／ｃｍである。
（８）前記遠位部のうちの前記近位部と前記掛止め域との間には、前記近位部よりも剛性の高い高剛性域が形成される。
（９）前記遠位部は、折曲された状態で前記横方向において離間する第１及び第２仮止め部を介して前記近位部に仮り止めされており、前記近位部と対向して位置する第１遠位部と、前記第１遠位部の外面側に位置し、かつ、その内面に前記第２ウエスト域の外面に剥離可能に掛止めするための掛止め域を有する第２遠位部とを有し、前記第１遠位部の前記近位部と対向する面には、両端が前記第１及び第２仮止め部と重なる固定部を介して前記近位部に固定されたシート片が配置される。